(57)【要約】      （修正有）【課題】表土種子の採取（回収）効率を向上することができる表土種子採取装置及び表土種子採取方法を提供する。【解決手段】箱状部材３と、この箱状部材３に表土種子を導入する吸引力を発生させる吸引装置と、前記箱状部材３に対して吸引方向の上流側に設けられた吸引管とを具備し、さらに、前記箱状部材３は、前記吸引管を接続するため形成された吸引口１および前記吸引装置へ延びる排気管を接続するため形成された排気口２を有する一方、前記箱状部材３内に、前記吸引装置の吸引力によって吸引された表土種子を採取する採取袋６が前記排気口２の上流側に設けられている【選択図】図１
2018148808.tif 000002
【特許請求の範囲】
【請求項１】
箱状部材と、この箱状部材に表土種子を導入する吸引力を発生させる吸引装置と、前記箱状部材に対して吸引方向の上流側に設けられた吸引管とを具備し、さらに、
前記箱状部材は、前記吸引管を接続するため形成された吸引口および前記吸引装置へ延びる排気管を接続するため形成された排気口を有する一方、
前記箱状部材内に、前記吸引装置の吸引力によって吸引された表土種子を採取する採取袋が前記排気口の上流側に設けられていることを特徴とする表土種子採取装置。
【請求項２】
前記排気口から表土種子が排出されることを阻止する仕切り板が前記排気口の上流側に設けられている請求項１に記載の表土種子採取装置。
【請求項３】
請求項１または２に記載の表土種子採取装置を用いて前記採取袋内に表土種子を採取することを特徴とする表土種子採取方法。
【発明の詳細な説明】
【技術分野】
【０００１】
本発明は、例えば山間地内での堅果（ドングリ）などの現地種子及び森林表土を採取するための表土種子採取装置及び表土種子採取方法に関するものである。
【背景技術】
【０００２】
近年、地域の森林表土を利用することで、地域の植生回復を図る自然回復緑化工法が生物多様性保全の観点から推奨されている。森林表土中には多くの埋土種子が含まれ、いわゆる「表土シードバンク」を構成している。そして、表土層のうち落葉層を除いた表層より５〜１０ｃｍの部分に埋土種子の約８０％が含まれていると報告されている。そこで、本願発明者らは、例えば林内にて結実した堅果（ドングリ）などを地表面に一旦落下（シードレイン）せしめ、これら落下種子を含む植物バイオマス（種子付き枝葉）と表土層を一緒に吸引し、現地採取の植生材料として利用することにすれば実用性が高まるという観点から、一緒に吸引する場合に用いることのできる装置を研究中である。
【先行技術文献】
【特許文献】
【０００３】
【特許文献１】特開２０１５−１４４５７７号公報
【発明の概要】
【発明が解決しようとする課題】
【０００４】
そして、本願発明者らは、小型の吸引装置を利用した下記に示す表土種子採取装置を用いて、例えばドングリの自生地において地表面に落下させた落下種子の吸取り試験を行い、落下種子及び表土（以下、表土種子という）の吸引収集が可能であることを確認した。即ち、前記表土種子採取装置として、表土種子を導入する吸引力を発生させる吸引装置の前段（上流側）にプレボックスを接続し、さらに、プレボックスに吸引管の下流部を接続し、プレボックスの隣り合う側面のうち、一方に吸引管の下流部が接続される吸引口を設け、他方に吸引装置側に接続される排気口を設けたものを用い、さらに、排気口をプレボックス底面からある程度離れた高さ位置に設けたもので試験を行ったのである。しかし、この場合、プレボックス内に、採取物として、ドングリなどの堅果、落葉落枝（リター）及び表層土壌（腐葉土）が採取できるものの、以下の課題が生じた。（１）比較的重量のあるドングリなどの堅果は排気口から下流側へと向かうことができずプレボックス内に留まることになるが、舞い上がって排気口の高さを越えた採取物は排気口から吸引装置に至り、ここで粉砕され、結局、プレボックス外部へ排出されることになる。したがって、（２）１回の採取作業において、吸引管を通った採取物はプレボックス内においてほぼ１００％の回収（採取）は望めず回収（採取）効率が悪い（プレボックス内における１回の採取量が制限される）。
【０００５】
本発明は上述の事柄に留意してなされたもので、その目的は、表土種子の採取（回収）効率を向上することができる表土種子採取装置及び表土種子採取方法を提供することにある。
【課題を解決するための手段】
【０００６】
上記目的を達成するため、本願の請求項１に係る発明は、箱状部材と、この箱状部材に表土種子を導入する吸引力を発生させる吸引装置と、前記箱状部材に対して吸引方向の上流側に設けられた吸引管とを具備し、さらに、前記箱状部材は、前記吸引管を接続するため形成された吸引口および前記吸引装置へ延びる排気管を接続するため形成された排気口を有する一方、前記箱状部材内に、前記吸引装置の吸引力によって吸引された表土種子を採取する採取袋が前記排気口の上流側に設けられていることを特徴とする表土種子採取装置を提供する。本発明に適用可能な箱状部材としては、種々のものを挙げることができる。そして、前記箱状部材としては、例えば図１に示すように、箱状部材本体３ａが前記吸引口および前記排気口を上部に備えているのが好ましい。また、本発明において、箱状部材とは、立方体形状、直方体形状、筒形状（平面視円形状のみならず、平面視楕円形状等も含む）などの中空の筐体を意味する。また、本発明で用いる採取袋は、例えば通気性を有する土のう袋が好ましく、また、一定以上の大きさの種子、落葉落枝（リター）及び表層土壌（腐葉土）を通さない目合を持つメッシュ製のものが好ましい。例えば図１は、箱状部材３が直方体形状である一方、採取袋６が通気性を有する土のう袋である場合の箱状部材本体３ａに対する採取袋６の好ましい取付状態の一例を示している。図１においては、通気性を有し表土種子を収容する土のう袋（採取袋の一例）６が吸引口１に連通するよう着脱自在に取り付けられている。
【０００７】
また、本発明において例えば図２、図３に示すように、箱状部材の第１のタイプのものとしては、上方開口１０を覆うよう開閉自在に装着される上蓋１５を含む箱状部材３を挙げることができる。そして、装置使用時には、例えば通気性を有し表土種子を収容する土のう袋（採取袋の一例）６が吸引口１に連通するよう取り付けられた状態で、上方開口１０を上蓋１５で閉じてなる閉塞状態の箱状部材３内の土のう袋６内に実質的に表土種子が採取されうる。
【０００８】
また、箱状部材の第２のタイプのものとしては、例えば図４に示すように、側部開口２０を覆うよう開閉自在に装着される横蓋５を含むとともに、上部Ａに吸引管２７に連通する吸引口１および排気管２８に連通する排気口２を備えた箱状部材３を挙げることができる。この場合、箱状部材３の側部開口２０とは、例えば立方体形状、直方体形状の箱状部材においては、箱状部材の上下面を除いた隣接する四つの側面の何れかに形成されうる側方開口を意味する。例えば図１における箱状部材３は前方開口４を有しており、この前方開口４が側部開口に相当する。また、図４における箱状部材３は右側方開口２０を有しており、この右側方開口２０が側部開口に相当する。また、筒形状の箱状部材における側部開口とは、箱状部材の側周面部に形成されうる適宜の大きさの開口を意味する。そして、装置使用時には、例えば通気性を有し表土種子を収容する土のう袋（採取袋の一例）６が吸引口２に連通するよう取り付けられた状態で、前記側部開口４，２０を横蓋５で閉じてなる閉塞状態の箱状部材３内の土のう袋６内に実質的に表土種子が採取されうる。そして、前記横蓋５を、箱状部材３の側部開口２０に着脱自在に設けてもよい（例えば、横蓋５を、側部開口（前方開口）４、側部開口（右側方開口）２０に対して凹凸等の係止手段を用いて嵌込むように構成してもよい）。また、前記横蓋を、蝶番などを使用して片開きに構成してもよい。例えば図１における箱状部材３においては前記側部開口（前方開口）４を覆う横蓋５が蝶番などを使用して片開きに構成されている。また、前記横蓋を、蝶番などを使用して観音開きに構成してもよい。また、前記横蓋を、側部開口に対してスライドさせるよう構成してもよい。
【０００９】
また、箱状部材の第３のタイプのものとしては、例えば図５に示すように、上部Ａに吸引管２７に連通する吸引口１および排気管２８に連通する排気口２を備えるとともに、側方から出し入れ自在な抽出し体２１を備えた箱状部材３を挙げることができる。そして、装置使用時において例えば通気性を有し表土種子を収容する土のう袋（採取袋の一例）６が吸引口２に連通するよう取り付けられた状態で抽出し体２１内の土のう袋６内に実質的に採取された表土種子は、その後、側方から抽出し体２１を引き抜くことで、土のう袋６を抽出し体２１から取り出すことができる。
【００１０】
また、本願の請求項２に係る発明は、前記排気口から表土種子が排出されることを阻止する仕切り板が前記排気口の上流側に設けられている。前記仕切り板は、板体であってもよいし、一定以上の大きさの種子、落葉落枝（リター）及び表層土壌（腐葉土）を通さない目合を持つメッシュを備えるもの（例えば、網体、パンチングメタルなどの有孔板）であってもよい。
【００１１】
また、別の観点から、本願の請求項３に係る発明は、請求項１または２に記載の表土種子採取装置を用いて前記採取袋内に表土種子を採取することを特徴とする表土種子採取方法を提供する。
【００１２】
【発明の効果】
【００１３】
本願発明では、表土種子の採取（回収）効率を向上することができる表土種子採取装置及び表土種子採取方法が得られる。
【００１４】
本願の請求項１に係る発明では、吸引装置の吸引力によって吸引された表土種子を採取する採取袋を箱状部材に形成された排気口の上流側に設けることにより、吸引装置の吸引力によって移動する表土種子の大半を前記採取袋に収集（収容）できるようにし、それによって、表土種子の詰め替え等の作業を排除できる。すなわち、前記採取袋に溜まった表土種子を前記採取袋ごと取り出すことができる。そのため、表土種子の詰め替え作業を不要にできる。また、取り出した前記採取袋ごと冷蔵庫に保管しておくことにより、表土種子を長持ちさせることができるとともに、表土種子が溜まった前記採取袋を必要なときはいつでも持ち運びできる。
【００１５】
本願の請求項２に係る発明では、前記採取袋を前記排気口の上流側に設けるとともに、前記排気口から表土種子が排出されることを阻止する仕切り板を前記排気口の上流側に設けることにより、吸引装置の吸引力によって移動する表土種子の大半を前記採取袋に収集（収容）できるとともに、箱状部材内において吸引装置の吸引力によって採取袋内から外へと移動する表土種子が前記排気口から外へ移動することなく前記仕切り板に当たって下方に戻るようにでき、それによって、吸引管を通った表土種子は採取袋内を含む箱状部材内においてほぼ１００％の回収（採取）が可能であり、回収（採取）効率を向上できる。
【図面の簡単な説明】
【００１６】
【図１】本発明の第１の実施形態を示す概略構成説明図である。
【図２】本発明の第２の実施形態を示す概略全体構成説明図である。
【図３】本発明の第３の実施形態を示す概略全体構成説明図である。
【図４】本発明の第４の実施形態を示す概略全体構成説明図である。
【図５】本発明の第５の実施形態を示す概略全体構成説明図である。
【発明を実施するための形態】
【００１７】
以下、図面を用いて、本発明の実施形態を説明する。
【００１８】
図１は、吸引口および排気口を上部に有するとともに前方開口を有し、さらに、この前方開口を開閉自在に覆う横蓋を含む直方体形状の箱状部材を設ける一方、吸引装置の吸引力によって吸引された表土種子を採取する採取袋を箱状部材内における前記排気口の上流側に設けた本発明の第１の実施形態を示す。
【００１９】
図１において、表土種子採取装置Ｄは、表土種子（現地の森林表土及び現地種子を含む。図示せず）を収容するとともに、箱状部材本体３ａの上部（上面）Ａに吸引管に連通する吸引口１および排気管に連通する排気口２を備えた中空の直方体形状の箱状部材３を備えている。また、箱状部材３は、四つの側部のうち前面（正面）に形成された前方開口（側部開口の一例）４およびこの前方開口４を覆うよう例えば蝶番などを使用して箱状部材本体３ａに開閉自在に装着される横蓋５を含んでいる。横蓋５は、前方開口４を閉塞しうる大きさに形成されている。さらに、表土種子採取装置Ｄは、箱状部材３内に吸引口１を介して表土種子を導入する吸引力を発生させるとともに排気口２から排気管（図示せず）を介して排気するための軽量のエンジンブロア（吸引装置の一例：図示せず）を備えるとともに、前記吸引装置の吸引力によって吸引された表土種子を採取する採取袋６を、箱状部材本体３ａ内における前記排気口２の上流側に備えている。なお、Ｋは吸引方向を示す。
【００２０】
この実施形態では、前記箱状部材３は、前記箱状部材本体３ａと前記横蓋５から構成されており、箱状部材本体３ａは、上部（上面）Ａ、下部（下面）Ｂ、三つの側部（三つの側面：後面Ｇ、右側面Ｅ、左側面Ｆ）および一つの前方開口４を有している。吸引口１と排気口２は前記上部Ａに形成されていればよく、前記上部Ａにおける吸引口１と排気口２の位置は適宜設定できるものである。そして、箱状部材３（箱状部材本体３ａ）に対して吸引方向の上流側に設けられた適宜の長さの可撓管（吸引管の一例：図示せず）が前記上部Ａに形成された吸引口１に接続されている。一方、前記吸引装置へ延びる短い長さに形成された軽量の排気管（図示せず）が前記上部Ａに形成された排気口２に接続されている。また、この実施形態では、前方開口４を覆う横蓋５が蝶番などを使用して片開きに構成されており、横蓋５によって前方開口４が閉じられるように横蓋５側と箱状部材本体３ａ側に対向する形で横蓋５と箱状部材本体３ａには係止手段（図示せず）が設けられいる。  
【００２１】
前記採取袋６は吸引口１に連通するよう着脱自在に取り付けられている。この実施形態では、前記採取袋６として、例えば通気性を有し表土種子を収容する土のう袋を用いているが、一定以上の大きさの種子、落葉落枝（リター）及び表層土壌（腐葉土）を通さない目合を持つメッシュ製のものを用いてもよい。そして、採取袋６は例えば、吸引口１の下流端部１ａに着脱自在に取り付けられるよう形成された取付口６ａを有している。すなわち、図１に示すように、取付口６ａを介して採取袋６は吸引口１に着脱自在に接続されており、この接続形態は、一例を挙げると、大型の電気掃除機に採用される公知の大型フィルタに形成された流入口部を掃除機の吸引口部に着脱自在に接続する構成と同様のものであり、取付口６ａを少ない力で差し込み・取り外すだけの簡易な構成であるので、着脱動作は人力で容易に行える。また、採取袋６としては、例えば一辺に開放口を有するように構成したもの（例えば図２参照）を挙げることができ、採取袋６は開放口６ｂを有しており、この開放口６ｂを吸引口１の下流端部１ａの外側から下流端部１ａに束ねた状態で、束ねた部分を例えば紐体を用いて下流端部１ａに縛りつけることで採取袋６を吸引口１に接続するようにしてもよく、この場合はより簡易な構成で着脱動作ができる。
【００２２】
この実施形態では、土のう袋等の採取袋６のみを設けた例を示したが、採取袋６と、排気口２から表土種子が排出されることを阻止する仕切り板７（図１の仮想線参照）との両方を設けてもよい。仕切り板７は、排気口２の上流側に設けられている。そして、仕切り板７は、板体であってもよく、また、一定以上の大きさの種子、落葉落枝（リター）及び表層土壌（腐葉土）を通さない目合を持つメッシュを備えるもの（網体、パンチングメタルなどの有孔体）であってもよい。
【００２３】
図１は、仕切り板７が縦断面Ｌ字型の板体である場合の箱状部材本体３ａに対する仕切り板７の好ましい取付状態の一例を示している。図１においては、仕切り板７は、排気口２の大きさ以上の大きさを有する平面視矩形の水平面部１７と、水平面部１７の一辺１７ａから適宜の高さｈだけ上方に垂直に立設された側面視矩形の垂直面部１８とよりなる。そして、箱状部材本体３ａにおける排気口２寄りの三つの内側面（上面Ａの内面部分ａ、後面Ｇの内面部分ｇ、左側面Ｆの内面部分ｆ）に対し仕切り板７が例えば溶接等の接合手段により取り付けられている。すなわち、上面Ａの内面部分ａ（例えば図４参照）と垂直面部１８におけるＹ方向に延びる水平な上辺１８ａとが接合され、後面Ｇの内面部分ｇと垂直面部１８におけるＺ方向に延びる垂直な後辺１８ｂとが接合され、後面Ｇの内面部分ｇと水平面部１７のＸ方向に延びる水平な後辺１７ｂとが接合され、左側面Ｆの内面部分ｆ（例えば図４参照）と水平面部７のＹ方向に延びる水平な左辺１７ｃとが接合されており、前方開口４を横蓋５で覆う閉塞空間が形成された箱状部材３の使用状態では仕切り板７（水平面部１７の手前側の横辺１７ｄおよび垂直面部１８の手前側の縦辺１８ｃ）と横蓋５との間に吸引口１と排気口２を連通させる隙間Ｓおよび隙間Ｓ’がそれぞれ形成されている。なお、隙間の位置は、適宜設定されうる。例えば、図１において、左側面Ｆの内面部分ｆと水平面部１７のＹ方向に延びる水平な左辺１７ｃとの間にも隙間を設けることができる。また、仕切り板７の板体形状は、この実施形態で示した縦断面Ｌ字型の板体形状以外のものでも、吸引装置の吸引力によって移動する表土種子が排気口２から排出されることを阻止する形状のものであればよい。
【００２４】
また、横蓋５によって閉じられる前記側部開口は前方開口４に限られるものではなく、前記側部開口を、箱状部材本体３ａの例えば三つの側部（三つの側面：すなわち、後面Ｇ、右側面Ｅ、左側面Ｆ）の何れに設けてもよい。
【００２５】
而して、表土種子採取装置Ｄは、装置全体を例えばドングリの自生地等、表土種子の採取が可能なエリアまで運搬した後、主として可撓性の吸引管のみを手に持って（あるいは抱えて）表土種子の採取作業にあたることを想定したものであり、装置Ｄ全体の運搬も比較的容易に行えるように、箱状部材３、すなわち、箱状部材本体３ａと横蓋５を例えばアルミニウムやアクリル等の比較的軽い素材で構成することが好ましく、前述した軽量のエンジンブロア（吸引装置の一例）と、前述した軽量の排気管と、前記箱状部材３と、前述した可撓性の吸引管とを用いる簡易な構成によって、人力移動が可能な表土種子採取装置Ｄを得ることができる。また、この実施形態では、電源ケーブルやエアホース等の採取作業に支障をきたすおそれのある部材を使用しなくてもよく作業を向上できる。また、この実施形態では、横蓋５を開いて前方開口４から、表土種子が溜まっている採取袋６を取り出すとともに、箱状部材本体３ａ内に溜まった表土種子を取り出すことができる。
【００２６】
図２は、上方開口を覆うよう開閉自在に装着される上蓋を含む箱状部材を用いる本発明の第２の実施形態を示す。なお、図２において、図１に示した符号と同一のものは同一又は相当物である。図２において、表土種子採取装置Ｄは、平面視矩形の上方開口１０を覆うよう開閉自在に装着される縦断面逆Ｕ字型で平面視矩形の上蓋１５を含む直方体形状の箱状部材３と、箱状部材３に表土種子（現地の森林表土及び現地種子を含む。図示せず）を導入する吸引力を発生させる軽量のエンジンブロア（吸引装置の一例）１６と、箱状部材３に対して吸引方向の上流側に設けられた適宜の長さの可撓管（吸引管の一例）２７とを主として具備している。この実施形態では、箱状部材本体３ａが、上方開口１０、下部（下面）Ｂおよび四つの側部（側面）を有している。
【００２７】
そして、上蓋１５は、吸引管２７を接続するため形成された吸引口１を有するとともに吸引装置１６へ延びる短い長さに形成された軽量の排気管２８を接続するため形成された排気口２を有する。上蓋１５は、平面視矩形の上面部Ｈと、上面部Ｈの四つの端辺から下方に垂下して延設形成された側面部Ｉよりなる。吸引口１と排気口２は上蓋１５の上面部Ｈに形成されていればよく、上面部Ｈにおける吸引口１と排気口２の位置は適宜設定できるものである。さらに、表土種子採取装置Ｄは、前記吸引装置１６の吸引力によって吸引された表土種子を採取する採取袋６を、箱状部材本体３ａ内における前記排気口２の上流側に備えている。この実施形態では、採取袋６として、一定以上の大きさの種子、落葉落枝（リター）及び表層土壌（腐葉土）を通さない目合を持つメッシュ製のものを用いており、採取袋６を箱状部材本体３ａ内において一面に広げて配置するようにしている。すなわち、採取袋６は横長（両矢印Ｐで示す方向の長さ）の開放口６ｂを有しており、その略中央に吸引口１の下流端部１ａが位置するよう開放口６ｂを上方に向けた状態で（開放口６ｂの直上に上蓋１５を配置して開放口６ｂと吸引口１を連通させた状態で）配置されている。
【００２８】
なお、この実施形態でも、仕切り板７（図２の仮想線参照）を設けてもよい。すなわち、上蓋１５には、吸引装置１６の吸引力によって移動する表土種子が排気口２から排出されるのを阻止する仕切り板７が排気口２の上流側に設けられている。仕切り板７は、縦断面Ｌ字型の板体で構成されており、排気口２の大きさ以上の大きさを有する平面視矩形の水平面部１７と、水平面部１７の一辺１７ａ（図１参照）から適宜の高さｈだけ上方に垂直に立設された側面視矩形の垂直面部１８とよりなる。この実施形態では、上蓋１５の内面（裏面）部分１５ａにおける排気口２の直下に、排気口２の大きさ以上の大きさを有して水平面部１７が位置しており、例えば上蓋１５の上面部Ｈの内面部分ａ’（１５ａ）と垂直面部１８におけるＹ方向（図１参照）に延びる水平な上辺１８ａとが例えば溶接等の接合手段により接合されており、例えば左側面Ｆの内面部分ｆと水平面部１７のＹ方向に延びる水平な左辺１７ｃとの間に吸引口１と排気口２を連通させる一つの隙間Ｍが形成されている。なお、排気口２の位置に応じて接合位置を変更することにより、吸引口１と排気口２を連通するための一つの隙間だけを設けるか、二つの隙間を設けるか、三つの隙間を設けるかが適宜設定されうる。
【００２９】
而して、表土種子採取装置Ｄは、装置全体を例えばドングリの自生地等、表土種子の採取が可能なエリアまで運搬した後、主として可撓性の吸引管２７のみを手に持って（あるいは抱えて）表土種子の採取作業にあたることを想定したものであり、吸引管５の長さは例えば３ｍ程度とすることができる。ここで、吸引管２７の直径をあまりに大きくし過ぎると吸引管２７自体が重くなって機動性が低下してしまい、逆に小さくし過ぎると必要な吸引力（流量）が得られない。具体的には、吸引管２７の先端部２７ａ以外の直径を１００ｍｍ程度とし、吸引管２７内の風速が５０ｍ／ｍｉｎ程度となるようにしている。なお、吸引管２７の先端部２７ａは例えば１００ｍｍよりも大きな直径を持つ筒体に形成されている。そして、前記エンジンブロア（吸引装置の一例）１６および前記可撓管（吸引管の一例）２７とそれぞれ同一形状の吸引装置および吸引管を上記第１の実施形態でも用いている。さらに、装置Ｄ全体の運搬も比較的容易に行えるように、箱状部材３、すなわち、箱状部材本体３ａと上蓋１５を例えばアルミニウムやアクリル等の比較的軽い素材で構成することが好ましく、軽量のエンジンブロア（吸引装置の一例）１６と、軽量の排気管２８と、箱状部材３と、可撓性の吸引管２７を用いる簡易な構成によって、人力移動が可能な表土種子採取装置Ｄを得ることができる。また、この実施形態でも、電源ケーブルやエアホース等の採取作業に支障をきたすおそれのある部材を使用しなくてもよく作業を向上できる。また、この実施形態では、上蓋１５を開いて上方開口１０から表土種子が溜まっている採取袋６を取り出すとともに、箱状部材本体３ａ内に溜まった表土種子を取り出すことができる。
【００３０】
図３は、上方開口１０を覆うよう開閉自在に装着される上蓋１５を含む箱状部材３を用い、さらに、上記第１の実施形態で用いた採取袋６を設けた本発明の第３の実施形態を示す。なお、図３において、図１、図２に示した符号と同一のものは同一又は相当物である。この実施形態でも、上蓋１５を開いて上方開口１０から表土種子が溜まっている採取袋６を取り出すとともに、箱状部材本体３ａ内に溜まった表土種子を取り出すことができる。
【００３１】
なお、この実施形態でも、仕切り板７（図３の仮想線参照）を設けてもよい。例えば、仕切り板７は、縦断面Ｌ字型の板体で構成されており、上蓋１５の裏面１５ａではなく、箱状部材本体３ａの四つの側面部（前面、裏面、右側面、左側面）のうち例えば前記前面の排気口寄りの内面部分ｊの上部において、前記前面の内面部分ｊと仕切り板７の水平面部１７の一辺１７ｃ（図１参照）とが接合されている。
【００３２】
図４は、吸引口１および排気口２を上部に有するとともに右側方開口（側部開口の一例）２０を有し、さらに、右側方開口２０を開閉自在に覆う横蓋５を含む直方体形状の箱状部材３を設けるとともに、上記第１，３の実施形態で用いた採取袋６を設けた本発明の第４の実施形態を示す。なお、図４において、図１、図２、図３に示した符号と同一のものは同一又は相当物である。
【００３３】
図４において、表土種子採取装置Ｄは、上記第１の実施形態と同様に上面（上部）Ａに吸引管２７に連通する吸引口１および排気管２８に連通する排気口２を備えた中空の箱状部材３と、この箱状部材３の右側方開口２０（箱状部材の側部開口の一例）に設けた横蓋５と、箱状部材３内に吸引口１を介して表土種子を導入するとともに排気口２から排気するための吸引装置１６と、排気口２の上流側に設けられている採取袋６とを具備している。前記箱状部材３は、箱状部材本体３ａと前記横蓋５から構成されている。この実施形態では、横蓋５を、右側方開口２０に対して凹凸等の係止手段を用いて嵌込むように構成しており、横蓋５を外して表土種子が溜まっている採取袋６を箱状部材本体３ａ内から取り出すとともに、箱状部材本体３ａ内に溜まった表土種子を右側方開口２０から取り出すことができる。
【００３４】
なお、この実施形態でも、排気口２の上流側に仕切り板７（図４の仮想線参照）を設けてもよい。例えば、仕切り板７は、排気口２が備わっている箱状部材本体３ａの上面Ａの内面（裏面）部分ａにおける排気口２の直下に、排気口２の大きさ以上の大きさを有して設けられている。例えば左側面Ｆの内面部分ｆと仕切り板７の水平面部１７の一辺１７ｃとの間に少なくとも一つの隙間（吸引口１と排気口２を連通させる隙間）Ｎが形成されている。なお、上面Ａに替えて第２の実施形態で示した上蓋１５を設け、この上蓋１５に吸引口１、排気口２を設けてもよい。
【００３５】
図５は、上部に吸引管２７に連通する吸引口１および排気管２８に連通する排気口２を備えるとともに、直方体形状の箱状部材本体３ａの側方から出し入れ自在な抽出し体２１を備えた箱状部材３と、上記第１，３，４の実施形態で用いた採取袋６とを設けた本発明の第５の実施形態を示す。なお、図５において、図１〜図４に示した符号と同一のものは同一又は相当物である。
【００３６】
図５において、表土種子採取装置Ｄは、箱状部材本体３ａの上面Ａ（上部）に吸引管２７に連通する吸引口１および排気管２８に連通する排気口２を備えており、抽出し体２１内に吸引口１を介して表土種子を導入するとともに排気口２から排気するための吸引装置１６を備え、さらに、吸引装置１６の吸引力によって吸引された表土種子を採取する採取袋６が排気口２の上流側に設けられている。抽出し体２１は、平面視矩形の上方開口３０を有する直方体形状をなし、平面視矩形の下面部３１と、背面部３２および前面部３３を含む四つの側面部より構成されている。一方、箱状部材本体３ａの例えば右側面部Ｒには、箱状部材本体３ａに対し抽出し体２１が側方から出し入れ自在な開口３４が設けられている。抽出し体２１の前面部３３の外側には出し入れに便利な把手３５が形成されている。そして、箱状部材３は、平面視矩形の箱状部材本体３ａと平面視矩形の抽出し体２１の把手付き前面部３３より構成される。
【００３７】
そして、抽出し体２１を引き出すことで、表土種子が溜まっている採取袋６を上方開口３０を介して抽出し体２１から取り出すとともに、抽出し体２１内に溜まった表土種子を抽出し体２１の上方開口３０から取り出すことができる。
【００３８】
なお、この実施形態でも、排気口２の上流側に仕切り板７（図５の仮想線参照）を設けてもよい。例えば、仕切り板７は、排気口２が備わっている箱状部材本体３ａの上面Ａの内面（裏面）部分ａにおける排気口２の直下に、排気口２の大きさ以上の大きさを有して設けられている。上面Ａに替えて第２，３の実施形態で示した上蓋１５を設けてもよい。  
【００３９】
なお、図１〜図５の各実施形態では、いずれも表土種子を収容する土のう袋等の採取袋６のみを設けた例を示したが、採取袋６と、仕切り板７（図１〜図５の仮想線参照）の両方を設けてもよい。
【符号の説明】
【００４０】
１        吸引口
２        排気口
３        箱状部材
６        採取袋
１６      吸引装置
２７      吸引管
２８      排気管
Ｄ        表土種子採取装置
【図１】
2018148808.tif 000003
【図２】
2018148808.tif 000004
【図３】
2018148808.tif 000005
【図４】
2018148808.tif 000006
【図５】
2018148808.tif 000007